(57)【特許請求の範囲】
【請求項１】
物理制御フォーマット指示チャネルシンボルを端末に下りリンクサブフレームで送信する方法であって、
１６個の物理制御フォーマット指示チャネルシンボルを前記下りリンクサブフレームの１番目の直交周波数分割多重シンボルにおける４個のリソース要素グループにマッピングすることと、
前記マッピングされた１６個の物理制御フォーマット指示チャネルシンボルを送信することと、を有し、
前記４個のリソース要素グループは、１番目の４個のリソース要素を有する１番目のリソース要素グループと、２番目の４個のリソース要素を有する２番目のリソース要素グループと、３番目の４個のリソース要素を有する３番目のリソース要素グループと、４番目の４個のリソース要素を有する４番目のリソース要素グループと、を有し、
前記１番目の４個のリソース要素、前記２番目の４個のリソース要素、前記３番目の４個のリソース要素および前記４番目の４個のリソース要素の中の各１番目のリソース要素の位置は、それぞれ、
【数１】
0005468153.tif 000075
で与えられ、
【数２】
0005468153.tif 000076
は、周波数領域におけるリソースブロック当たりのリソース要素の数を示す、方法。
【請求項２】
前記
【数３】
0005468153.tif 000077
は、１２である、請求項１に記載の方法。
【請求項３】
前記位置ｋ0は、物理層セル識別子
【数４】
0005468153.tif 000078
に基づいて決定される、請求項１に記載の方法。
【請求項４】
基準信号を前記端末に送信することであって、
前記１番目のリソース要素グループ、前記２番目のリソース要素グループ、前記３番目のリソース要素グループおよび前記４番目のリソース要素グループのそれぞれは、前記下りリンクサブフレームの１番目の直交周波数分割多重シンボル中に６個の連続するリソース要素を有し、該６個の連続するリソース要素のうち２個が前記基準信号に用いられることをさらに有する、請求項１に記載の方法。
【請求項５】
物理制御フォーマット指示チャネルに関する２ビット情報をチャネルコーディングすることによって、該物理制御フォーマット指示チャネルに関する３２ビット情報を作成することと、
４相位相変調で前記物理制御フォーマット指示チャネルに関する３２ビット情報を変調することによって、前記１６個の物理制御フォーマット指示チャネルシンボルを作成することと、をさらに有する、請求項１に記載の方法。
【請求項６】
前記物理制御フォーマット指示チャネルに関する２ビット情報によって、制御チャネルを送信するのに前記下りリンクサブフレームで用いられる直交周波数分割多重シンボルの数が１個、２個または３個のいずれであるかが前記端末に通知される、請求項５に記載の方法。
【請求項７】
端末によって物理制御フォーマット指示チャネルシンボルを下りリンクサブフレームで受信する方法であって、
１６個の物理制御フォーマット指示チャネルシンボルを前記下りリンクサブフレームの１番目の直交周波数分割多重シンボルを介して受信することであって、
前記１６個の物理制御フォーマット指示チャネルシンボルは、４個のリソース要素グループにマッピングされ、
前記４個のリソース要素グループは、１番目の４個のリソース要素を有する１番目のリソース要素グループと、２番目の４個のリソース要素を有する２番目のリソース要素グループと、３番目の４個のリソース要素を有する３番目のリソース要素グループと、４番目の４個のリソース要素を有する４番目のリソース要素グループと、を有し、
前記１番目の４個のリソース要素、前記２番目の４個のリソース要素、前記３番目の４個のリソース要素および前記４番目の４個のリソース要素の中の各１番目のリソース要素の位置は、それぞれ、
【数５】
0005468153.tif 000079
で与えられ、
【数６】
0005468153.tif 000080
は、周波数領域におけるリソースブロック当たりのリソース要素の数を示すことと、
前記受信した１６個の物理制御フォーマット指示チャネルシンボルに基づいて、制御チャネルに用いられる直交周波数分割多重シンボルの数に関する情報を取得することと、を有する方法。
【請求項８】
前記
【数７】
0005468153.tif 000081
は、１２である、請求項７に記載の方法。
【請求項９】
前記位置ｋ0は、物理層セル識別子
【数８】
0005468153.tif 000082
に基づいて決定される、請求項７に記載の方法。
【請求項１０】
前記端末によって基準信号を受信することであって、
前記１番目のリソース要素グループ、前記２番目のリソース要素グループ、前記３番目のリソース要素グループおよび前記４番目のリソース要素グループのそれぞれは、前記下りリンクサブフレームの１番目の直交周波数分割多重シンボル中に６個の連続するリソース要素を有し、該６個の連続するリソース要素のうち２個が前記基準信号に用いられることをさらに有する、請求項７に記載の方法。
【発明の詳細な説明】
【技術分野】
【０００１】
本発明は、セルラ直交周波数分割多重（Orthogonal Frequency Division Multiplexing；ＯＦＤＭ）無線パケット通信システムにおいて下りリンクで伝送される信号の周波数及びＯＦＤＭシンボル領域に対するマッピング方式に関するもので、特に、物理制御フォーマット指示チャネル（Physical Control Format Indicator Channel；ＰＣＦＩＣＨ）のマッピング時に、簡単なマッピング規則の適用によって、リソース要素を浪費したりマッピングが不可能になったりする問題を解決することができるマッピング方法に関する。
【背景技術】
【０００２】
ＯＦＤＭ無線パケット通信システムの下りリンクを通じてデータを伝送する時、いくつのＯＦＤＭシンボルが制御チャネルを伝送するのに使われるかを各端末に知らせると、各端末にとって制御チャネルの情報を利用する上で多くの利点を得ることができる。特に、３ＧＰＰ ＬＴＥシステムでは、制御チャネルのために使用するＯＦＤＭシンボルの個数を知らせるチャネルを物理制御フォーマット指示チャネル(Physical control format indicator channel；ＰＣＦＩＣＨ)と定義する。
【０００３】
より具体的には、３ＧＰＰ ＬＴＥシステムでＰＣＦＩＣＨは、制御チャネルの伝送のために使われるＯＦＤＭシンボルの個数が１、２または３のうちのいずれであるかによって３つの状態を表す２ビットで表現され、この２ビットは、チャネルコーディングによって３２ビットに増加し、４相位相変調（quadrature phase shift keying；ＱＰＳＫ）を通じて１６個のＱＰＳＫシンボルで表される。このＰＣＦＩＣＨは、常にサブフレームの１番目のＯＦＤＭシンボルを通じてのみ伝送され、伝送のための周波数領域におけるマッピング方式は、次の通りである。
【０００４】
y(0)，…，y(3)は、ｋ＝ｋ0の位置から始まるリソース要素にマッピングし、y(4)，…，y(7)は、
【数１】
0005468153.tif 000002
の位置から始まるリソース要素にマッピングし、y(8)，…，y(11)は、
【数２】
0005468153.tif 000003
の位置から始まるリソース要素にマッピングし、y(12)，…，y(15)は、
【数３】
0005468153.tif 000004
の位置から始まるリソース要素にマッピングする。ここで、開始点をシフトするための値は
【数４】
0005468153.tif 000005
である。
【０００５】
これらの足し算は、
【数５】
0005468153.tif 000006
のモジュラ演算を含み、
【数６】
0005468153.tif 000007
は、物理層セルＩＤ（識別子）を表す。
【０００６】
上記のマッピング規則で、y(0)，…，y(15)は、１６個のＱＰＳＫシンボルを表し、
【数７】
0005468153.tif 000008
は、下りリンクで伝送されるリソースブロック（resource block）の個数を表し、
【数８】
0005468153.tif 000009
は、リソースブロック当たりのリソース要素（Resource Element；ＲＥ）の個数を表す。各セルによってそれぞれ異なるセルＩＤ
【数９】
0005468153.tif 000010
によってｋ0値が決定され、このｋ0値を開始点として、シンボルは、下りリンク周波数帯域全体で周波数ダイバーシティ利得を得るために、基準信号（Reference Signal；ＲＳ）の伝送のために使われない４個の隣接したリソース要素で構成された４個の周波数領域に分散して伝送される。ここで、基準信号の伝送のために使われない４個の隣接したリソース要素を使用する理由は、他の制御チャネルが、基準信号伝送のために使われない４個の隣接したリソース要素で構成されたリソース要素グループ（Resource Element Group；ＲＥＧ）単位で構成されていることに着目し、これと同一の方式でマッピングすることによって他の制御チャネルとＰＣＦＩＣＨとのマルチプレクシングを效率的に行うためである。
【０００７】
しかしながら、上記のようなマッピング方式でＰＣＦＩＣＨをマッピングすると、次のような問題点が生じうる。
【０００８】
第一に、３ＧＰＰ ＬＴＥシステムにおける一般のサブフレーム構造において
【数１０】
0005468153.tif 000011
のとき、
【数１１】
0005468153.tif 000012
が奇数であれば、４個の周波数領域のうち、２番目と４番目の周波数領域が２個のリソース要素グループにわたってマッピングされる。
【０００９】
図１は、従来のマッピング方法で４個のシンボルが２個のリソース要素グループにマッピングされる場合を示す図である。
【００１０】
図１に示すように、
【数１２】
0005468153.tif 000013
が偶数の場合、ＰＣＦＩＣＨ伝送のための４個の周波数領域は、他の制御チャネル伝送のためのリソース要素グループ単位と一致するが、
【数１３】
0005468153.tif 000014
が奇数の場合は、２番目と４番目の周波数領域が２個のリソース要素グループにわたってマッピングされる。この場合、リソース要素グループは、基準信号の伝送に使われない４個の隣接したリソース要素で構成されているため、４個の隣接したリソース要素の両側に２個ずつ残されるリソース要素は、制御チャネル伝送のために使用することができず、リソースの浪費となる。
【００１１】
第二に、上記マッピング規則ではマッピング不可能な領域が発生する。
【００１２】
周波数マッピング領域は、セルごとに固有の値である
【数１４】
0005468153.tif 000015
によって異なってくる。これにより、隣接したセルＩＤを持つセル間のＰＣＦＩＣＨ伝送による干渉を減らすことができるが、この
【数１５】
0005468153.tif 000016
値は、現在の３ＧＰＰ ＬＴＥ標準によると、０〜５０３まで５０４個の値からなっている。そこで、
【数１６】
0005468153.tif 000017
値が奇数の場合、
【数１７】
0005468153.tif 000018
の値によってＰＣＦＩＣＨ伝送のための周波数マッピングが不可能な領域が発生する。
【００１３】
図２は、
【数１８】
0005468153.tif 000019
の値によってＰＣＦＩＣＨ伝送のための周波数領域に実際マッピングの不可能な領域が発生する場合を示す図である。例えば、
【数１９】
0005468153.tif 000020
の時、４個の連続したリソース要素に割り当てられる周波数領域が、実際に伝送可能な周波数領域から外れる問題が発生する。この場合は、ＰＣＦＩＣＨを該当の領域に割り当てることができない。
【発明の概要】
【発明が解決しようとする課題】
【００１４】
したがって、本発明は、ＰＣＦＩＣＨのマッピング時にリソース要素を浪費したりマッピングが不可能になったりする問題を解消できる方法を提供することを技術的課題とする。
【課題を解決するための手段】
【００１５】
上記の技術的課題を解決するために、本発明の一実施例によるＰＣＦＩＣＨシンボルをリソース要素グループ単位でマッピングする方法が提供される。このＰＣＦＩＣＨシンボルのマッピング方法は、下りリンクで伝送されるリソースブロックの個数が偶数であると、従来のマッピング方法を使用し、下りリンクで伝送されるリソースブロックの個数が奇数であると、前記リソースブロックの個数から１を引いた値を用いて、前記ＰＣＦＩＣＨのシンボルをマッピングするためのリソース要素の開始位置を決定し、該開始位置に前記シンボルをマッピングする過程を含む。
【００１６】
好ましくは、前記開始位置を決定する過程で、物理層セルＩＤによって前記ＰＣＦＩＣＨの最初の開始位置を決定することができる。
【００１７】
好ましくは、前記シンボルをマッピングする過程は、４個のグループのうち、１番目のグループのシンボルは、ｋ＝ｋ0の位置から始まるリソース要素にマッピングし、２番目のグループのシンボルは、
【数２０】
0005468153.tif 000021
の位置から始まるリソース要素にマッピングし、３番目のグループのシンボルは、
【数２１】
0005468153.tif 000022
の位置から始まるリソース要素にマッピングし、４番目グループのシンボルは、
【数２２】
0005468153.tif 000023
の位置から始まるリソース要素にマッピングする過程を含む。
【００１８】
好ましくは、前記シンボルをマッピングする過程で、１番目のＯＦＤＭシンボルにマッピングする場合、基準信号のリソース要素を除く位置に前記シンボルをマッピングすることができる。
【００１９】
上記の技術的課題を解決するために、本発明の他の実施例によるＰＣＦＩＣＨシンボルのマッピング方法は、ＰＣＦＩＣＨのためのシンボルのインデックスに比例する変数と下りリンクで伝送されるリソースブロックの個数とを乗じて２で割った値を切り捨て（Floor）て、前記ＰＣＦＩＣＨシンボルをマッピングするためのリソース要素の開始位置を決定し、前記開始位置に前記シンボルをマッピングする過程を含む。
【００２０】
好ましくは、前記開始位置を決定する過程で、物理層セルＩＤによって前記ＰＣＦＩＣＨの最初の開始位置を決定できる。
【００２１】
好ましくは、前記シンボルをマッピングする過程で、４個のグループのうち、１番目のグループのシンボルは、ｋ＝ｋ0の位置から始まるリソース要素にマッピングし、２番目のグループのシンボルは、
【数２３】
0005468153.tif 000024
の位置から始まるリソース要素にマッピングし、３番目グループのシンボルは、
【数２４】
0005468153.tif 000025
の位置から始まるリソース要素にマッピングし、４番目グループのシンボルは、
【数２５】
0005468153.tif 000026
の位置から始まるリソース要素にマッピングすることができる。
【００２２】
または、前記シンボルをマッピングする過程で、４個のグループのうち、１番目のグループのシンボルは、ｋ＝ｋ0の位置から始まるリソース要素にマッピングし、２番目のグループのシンボルは、
【数２６】
0005468153.tif 000027
の位置から始まるリソース要素にマッピングし、３番目のグループのシンボルは、
【数２７】
0005468153.tif 000028
の位置から始まるリソース要素にマッピングし、４番目グループのシンボルは、
【数２８】
0005468153.tif 000029
の位置から始まるリソース要素にマッピングすることができる。
【００２３】
好ましくは、前記シンボルをマッピングする過程で、１番目のＯＦＤＭシンボルにマッピングする場合、基準信号のリソース要素を除く位置に前記シンボルをマッピングすることができる。
【００２４】
上記の技術的課題を解決するために、本発明の他の実施例によるＰＣＦＩＣＨシンボルのマッピング方法は、物理制御フォーマット指示チャネルシンボルを端末に下りリンクサブフレームで送信する方法であって、１６個の物理制御フォーマット指示チャネルシンボルを下りリンクサブフレームの１番目の直交周波数分割多重シンボルにおける４個のリソース要素グループにマッピングすることと、マッピングされた１６個の物理制御フォーマット指示チャネルシンボルを送信することと、を有し、４個のリソース要素グループは、１番目の４個のリソース要素を有する１番目のリソース要素グループと、２番目の４個のリソース要素を有する２番目のリソース要素グループと、３番目の４個のリソース要素を有する３番目のリソース要素グループと、４番目の４個のリソース要素を有する４番目のリソース要素グループと、を有し、１番目のリソース要素グループ、２番目のリソース要素グループ、３番目のリソース要素グループおよび４番目のリソース要素グループの中の各２個のリソース要素グループの距離は、周波数領域において、
【数２９】
0005468153.tif 000030
の整数倍であり、
【数３０】
0005468153.tif 000031
は、周波数領域におけるリソースブロック当たりのリソース要素の数を示すことを特徴とする。
【００２５】
かかる方法において、１番目の４個のリソース要素、２番目の４個のリソース要素、３番目の４個のリソース要素および４番目の４個のリソース要素のうち各１番目のリソース要素の位置は、それぞれ、
【数３１】
0005468153.tif 000032
で与えられ、「ａ」、「ｂ」および「ｃ」は、整数値であることが好ましい。
【００２６】
また、１番目の４個のリソース要素、２番目の４個のリソース要素、３番目の４個のリソース要素および４番目の４個のリソース要素のうち各１番目のリソース要素の位置は、それぞれ、
【数３２】
0005468153.tif 000033
で与えられ、「ａ」、「ｂ」および「ｃ」は、整数値であることが好ましい。
【００２７】
さらに、整数値「ａ」、「ｂ」および「ｃ」は、リソースブロックの数を２で割った値
【数３３】
0005468153.tif 000034
に基づいて決定されることが好ましい。
【００２８】
また、
【数３４】
0005468153.tif 000035
は、１２であることが好ましい。
【００２９】
さらに、１番目の４個のリソース要素、２番目の４個のリソース要素、３番目の４個のリソース要素および４番目の４個のリソース要素のうち各１番目のリソース要素の位置は、それぞれ、
【数３５】
0005468153.tif 000036
で与えられることが好ましい。
【００３０】
また、１番目の４個のリソース要素、２番目の４個のリソース要素、３番目の４個のリソース要素および４番目の４個のリソース要素のうち各１番目のリソース要素の位置は、それぞれ、
【数３６】
0005468153.tif 000037
で与えられることが好ましい。
【００３１】
さらに、位置ｋ0は、物理層セル識別子
【数３７】
0005468153.tif 000038
に基づいて決定されることが好ましい。
【００３２】
また、位置ｋ0は、
【数３８】
0005468153.tif 000039
として決定されることが好ましい。
【００３３】
かかる方法は、基準信号を端末に送信することであって、１番目のリソース要素グループ、２番目のリソース要素グループ、３番目のリソース要素グループおよび４リソース要素グループのそれぞれは、下りリンクサブフレームの１番目の直交周波数分割多重シンボル中に６個の連続するリソース要素を有し、該６個の連続するリソース要素のうち２個が基準信号に用いられることをさらに有することが好ましい。
【００３４】
また、かかる方法は、物理制御フォーマット指示チャネルに関する２ビット情報をチャネルコーディングすることによって、該物理制御フォーマット指示チャネルに関する３２ビット情報を作成することと、４相位相変調で物理制御フォーマット指示チャネルに関する３２ビット情報を変調することによって、１６個の物理制御フォーマット指示チャネルシンボルを作成することと、をさらに有することが好ましい。
【００３５】
さらに、かかる方法において、物理制御フォーマット指示チャネルに関する２ビット情報によって、制御チャネルを送信するのに下りリンクサブフレームで用いられる直交周波数分割多重シンボルの数が１個、２個または３個のいずれであるかが端末に通知されることが好ましい。
【００３６】
上記の技術的課題を解決するために、本発明の他の実施例によるＰＣＦＩＣＨシンボルのマッピング方法は、端末によって物理制御フォーマット指示チャネルシンボルを下りリンクサブフレームで受信する方法であって、１６個の物理制御フォーマット指示チャネルシンボルを下りリンクサブフレームの１番目の直交周波数分割多重シンボルを介して受信することであって、１６個の物理制御フォーマット指示チャネルシンボルは、４個のリソース要素グループにマッピングされ、４個のリソース要素グループは、１番目の４個のリソース要素を有する１番目のリソース要素グループと、２番目の４個のリソース要素を有する２番目のリソース要素グループと、３番目の４個のリソース要素を有する３番目のリソース要素グループと、４番目の４個のリソース要素を有する４番目のリソース要素グループと、を有し、１番目のリソース要素グループ、２番目のリソース要素グループ、３番目のリソース要素グループおよび４番目のリソース要素グループの中の各２個のリソース要素グループの距離は、周波数領域において、
【数３９】
0005468153.tif 000040
の整数倍であり、
【数４０】
0005468153.tif 000041
は、周波数領域におけるリソースブロック当たりのリソース要素の数を示すことと、受信した１６個の物理制御フォーマット指示チャネルシンボルに基づいて、制御チャネルに用いられる直交周波数分割多重シンボルの数に関する情報を取得することと、を有することを特徴とする。
【００３７】
かかる方法において、１番目の４個のリソース要素、２番目の４個のリソース要素、３番目の４個のリソース要素および４番目の４個のリソース要素のうち各１番目のリソース要素の位置は、それぞれ、
【数４１】
0005468153.tif 000042
で与えられ、「ａ」、「ｂ」および「ｃ」は、整数値であることが好ましい。
【００３８】
また、１番目の４個のリソース要素、２番目の４個のリソース要素、３番目の４個のリソース要素および４番目の４個のリソース要素のうち各１番目のリソース要素の位置は、それぞれ、
【数４２】
0005468153.tif 000043
で与えられ、「ａ」、「ｂ」および「ｃ」は、整数値であることが好ましい。
【００３９】
さらに、整数値「ａ」、「ｂ」および「ｃ」は、リソースブロックの数を２で割った値
【数４３】
0005468153.tif 000044
に基づいて決定されることが好ましい。
【００４０】
また、
【数４４】
0005468153.tif 000045
は、１２であることが好ましい。
【００４１】
さらに、１番目の４個のリソース要素、２番目の４個のリソース要素、３番目の４個のリソース要素および４番目の４個のリソース要素のうち各１番目のリソース要素の位置は、それぞれ、
【数４５】
0005468153.tif 000046
で与えられることが好ましい。
【００４２】
また、１番目の４個のリソース要素、２番目の４個のリソース要素、３番目の４個のリソース要素および４番目の４個のリソース要素のうち各１番目のリソース要素の位置は、それぞれ、
【数４６】
0005468153.tif 000047
で与えられることが好ましい。
【００４３】
さらに、位置ｋ0は、物理層セル識別子
【数４７】
0005468153.tif 000048
に基づいて決定されることが好ましい。
【００４４】
また、位置ｋ0は、
【数４８】
0005468153.tif 000049
として決定されることが好ましい。
【００４５】
かかる方法は、端末によって基準信号を受信することであって、１番目のリソース要素グループ、２番目のリソース要素グループ、３番目のリソース要素グループおよび４番目のリソース要素グループのそれぞれは、下りリンクサブフレームの１番目の直交周波数分割多重シンボル中に６個の連続するリソース要素を有し、該６個の連続するリソース要素のうち２個が基準信号に用いられることをさらに有することが好ましい。
【発明の効果】
【００４６】
本発明の実施例によると、ＰＣＦＩＣＨのマッピング時に簡単なマッピング規則を適用することによってリソース要素を浪費したりマッピングが不可能になったりする問題を解決することができる。
【図面の簡単な説明】
【００４７】
【図１】従来のマッピング方法で４個のシンボルが２個のリソース要素グループにマッピングされる場合を示す図である。
【図２】従来のマッピング方法でシンボルマッピングが不可能な場合を示す図である。
【図３】本発明の一実施例による物理制御フォーマット指示チャネルのマッピング方法を示すフローチャートである。
【図４】本発明の他の実施例による物理制御フォーマット指示チャネルのマッピング方法を示すフローチャートである。
【図５】２個以下の伝送アンテナを使用する場合におけるリソース要素グループの一例を示す図である。
【図６】４個の伝送アンテナを使用する場合におけるリソース要素グループの一例を示す図である。
【図７】セルＩＤによる物理制御フォーマット指示チャネルマッピングの一例を示す図である。
【発明を実施するための形態】
【００４８】
添付図面は、本発明をより良く理解するために包含されており、本発明の実施形態を例示し、明細書の記載と共に本発明の主旨を説明するためのものである。
【００４９】
以下、添付の図面を参照しつつ、本発明の例示の実施例について詳細に説明する。以下の詳細な説明は、本発明によって実施可能な限られた実施形態を示すというより、むしろ、本発明の例示の実施形態を説明することを意図している。
【００５０】
まず、本発明の一実施例では
【数４９】
0005468153.tif 000050
値によって、異なるマッピング規則を適用する方式を提案する。
【００５１】
従来のマッピング方式では
【数５０】
0005468153.tif 000051
が偶数の場合は、上記の問題点が発生しないので、
【数５１】
0005468153.tif 000052
が偶数の場合は、従来のマッピング方式をそのまま使用し、
【数５２】
0005468153.tif 000053
が奇数の場合は、下記のマッピング方式を使用する。
【００５２】
以下で、y(0)，…，y(15)は、１６個のＱＰＳＫシンボルを表し、
【数５３】
0005468153.tif 000054
は、下りリンクで伝送されるリソースブロックの個数を表し、
【数５４】
0005468153.tif 000055
は、リソースブロック当たりのリソース要素の個数を表す。
【００５３】
【数５５】
0005468153.tif 000056
が奇数の場合、本発明の一実施例によるマッピング方法によれば、y(0)，…，y(3）は、ｋ＝ｋ0の位置から始まるリソース要素にマッピングし、y(4)，…，y(7)は、
【数５６】
0005468153.tif 000057
の位置から始まるリソース要素にマッピングし、y(8)，…，y(11）は、
【数５７】
0005468153.tif 000058
の位置から始まるリソース要素にマッピングし、y(12)，…，y(15)は、
【数５８】
0005468153.tif 000059
の位置から始まるリソース要素にマッピングする。
【００５４】
図３は、本発明の一実施例によるＰＣＦＩＣＨマッピング方法を示すフローチャートである。
【００５５】
まず、ＰＣＦＩＣＨマッピングのためのシンボルインデックス（ｉ）を０に初期化する（Ｓ３１０）。
【００５６】
次に、
【数５９】
0005468153.tif 000060
が奇数であるか判断する（Ｓ３２０）。この時、
【数６０】
0005468153.tif 000061
が奇数なら、
【数６１】
0005468153.tif 000062
を用いてＰＣＦＩＣＨの４個のシンボルをマッピングするリソース要素の位置を決定し、該当の位置にマッピングする（Ｓ３３０）。
【００５７】
一方、
【数６２】
0005468153.tif 000063
が偶数なら、
【数６３】
0005468153.tif 000064
を用いてＰＣＦＩＣＨの４個のシンボルをマッピングするリソース要素の位置を決定し、該当の位置にマッピングする（Ｓ３４０）。
【００５８】
マッピングが完了すると、シンボルインデックス（ｉ）を‘４’増加させる（Ｓ３５０）。
【００５９】
シンボルインデックス（ｉ）が１６未満なら（Ｓ３６０）、マッピングするシンボルが残っているということであるから、上記の過程（Ｓ３２０〜Ｓ３５０）を反復する。
【００６０】
最後に、シンボルインデックス（ｉ）が１６以上であれば（Ｓ３６０）、手順を終了する。
【００６１】
一方、本発明の他の実施例では、
【数６４】
0005468153.tif 000065
の個数が奇数か偶数かによらず、単一のマッピング方式を使用する方法を提案する。
【００６２】
すなわち、次のマッピング規則によると、
【数６５】
0005468153.tif 000066
の個数によらずに一つの数式を用いてＰＣＦＩＣＨマッピングにおける従来の問題点を解決することができる。
【００６３】
本発明の他の実施例によれば、y(0)，…，y(3)は、ｋ＝ｋ0の位置から始まるリソース要素にマッピングし、y(4)，…，y(7)は、
【数６６】
0005468153.tif 000067
の位置から始まるリソース要素にマッピングし、y(8)，…，y(11)は、
【数６７】
0005468153.tif 000068
の位置から始まるリソース要素にマッピングし、y(12)，…，y(15)は、
【数６８】
0005468153.tif 000069
の位置から始まるリソース要素にマッピングする。
【００６４】
この方式で、
【数６９】
0005468153.tif 000070
によってｋ0の値が決定されるが、ｋ0が示すインデックスが、基準信号を使用するリソース要素のインデックスと衝突する場合、ｋ0は‘１’増加されたインデックスを使用することができる。
【００６５】
図４は、本発明の他の実施例によるＰＣＦＩＣＨマッピング方法を示すフローチャートである。
【００６６】
まず、ＰＣＦＩＣＨマッピングのためのシンボルインデックス（ｉ）を０に初期化する（Ｓ４１０）。
【００６７】
次に、シンボルインデックスに比例する変数（Ｉi）と
【数７０】
0005468153.tif 000071
とを乗じて２で割った値を切り捨て（Floor）て、ＰＣＦＩＣＨをマッピングするためのリソース要素の開始位置を決定し、該当の位置にマッピングする（Ｓ４２０）。例えば、Ｉ0＝０、Ｉ4＝１、Ｉ8＝２、Ｉ12＝３などになりうる。
【００６８】
マッピングが完了すると、シンボルインデックス（ｉ）を‘４’増加させる（Ｓ４５０）。
【００６９】
シンボルインデックス（ｉ）が１６未満であれば（Ｓ４６０）、マッピングするシンボルが残っているということであるから、上記の過程（Ｓ４２０〜Ｓ４５０）を反復する。
【００７０】
最後に、シンボルインデックス（ｉ）が１６以上であれば（Ｓ４６０）、手順を終了する。
【００７１】
本発明の他の実施例による上記マッピング規則をやや変形すると、下記の通りになる。
【００７２】
すなわち、y(0)，…，y(3)は、ｋ＝ｋ0の位置から始まるリソース要素にマッピングし、y(4)，…，y(7)は、
【数７１】
0005468153.tif 000072
の位置から始まるリソース要素にマッピングし、y（8），…，y(11)は、
【数７２】
0005468153.tif 000073
の位置から始まるリソース要素にマッピングし、y(12)，…，y(15)は、
【数７３】
0005468153.tif 000074
の位置から始まるリソース要素にマッピングすることができる。
【００７３】
図５は、２個以下の伝送アンテナを使用する場合におけるリソース要素グループの一例を示す図である。
【００７４】
ＰＣＦＩＣＨが伝送される第１行のＯＦＤＭシンボル（第１ライン）では、各アンテナの基準信号が伝送されるので、一つのリソース要素グループは６個のリソース要素で構成される。２個以下の伝送アンテナを使用する場合、第２行のＯＦＤＭシンボル（第２ライン）では、基準信号が存在しないので、一つのリソース要素グループは４個のリソース要素で構成される。
【００７５】
図６は、４個の伝送アンテナを使用する場合におけるリソース要素グループの一例を示す図である。
【００７６】
ＰＣＦＩＣＨが伝送される第１行のＯＦＤＭシンボル（第１ライン）では、各アンテナの基準信号が伝送されるので、一つのリソース要素グループは６個のリソース要素で構成される。４個の伝送アンテナを使用する場合、第２行のＯＦＤＭシンボル（第２ライン）にも基準信号が存在するので、一つのリソース要素グループは６個のリソース要素で構成される。
【００７７】
図７は、セルＩＤによるＰＣＦＩＣＨマッピングの一例を示す図である。
【００７８】
図７は、システム帯域が２０個のリソースブロックに該当する場合を示す。１０個のセルＩＤに対してそれぞれ異なる開始位置を設定する。“１”で表示された位置は、上記のマッピング方法でｋ0の位置を表す。これにより、セルＩＤ間の干渉が減少する。
【００７９】
以上、図面に示した実施例を挙げて本発明を説明したが、それらに限定されず、本発明の思想及び範囲内で様々な変形及び変更が可能であるということは、当該技術分野における通常の知識を有する者にとって自明である。したがって、本発明の真の技術的保護範囲は、添付の特許請求の範囲及びその等価範囲で定められなければならない。
【産業上の利用可能性】
【００８０】
本発明は、セルラＯＦＤＭ無線パケット通信システムにおいて下りリンクで伝送される信号の周波数及びＯＦＤＭシンボル領域に対するマッピング方式に関するもので、３ＧＰＰ ＬＴＥなどのシステムにおいて基地局、端末などに適用可能である。
【図１】
0005468153.tif 000083
【図２】
0005468153.tif 000084
【図３】
0005468153.tif 000085
【図４】
0005468153.tif 000086
【図５】
0005468153.tif 000087
【図６】
0005468153.tif 000088
【図７】
0005468153.tif 000089